(57)【要約】【課題】  ディスプレイパネルに光を照射するためのバックライトユニットの光素子の数を減少させるために、バックライトユニットがディスプレイパネルの後面中央部に設置され、バックライトユニットの陰影によってディスプレイパネル上に形成された暗部を除去するためにバックライトユニットのレンズ部の構造が改善された、ディスプレイパネルを使用するディスプレイ装置を提供する。【解決手段】  拡散板から一定距離だけ離れて設置され、前記拡散板に光を照射する光源と;前記拡散板と前記光源との間に設置され、前記光源に対向する面を有し、前記光源に対向する面には、反射物質がコーティングされ、前記光源から照射される光の一部を反射させる反射領域と、前記光源から照射される光の他の一部を透過させる透過領域と、が形成されるレンズ部と；を含むディスプレイ装置のバックライトユニットを構成する。【選択図】      図７
2014187019.tif 000002
【特許請求の範囲】
【請求項１】
拡散板から一定距離だけ離れて設置され、前記拡散板に光を照射する光源と;
前記拡散板と前記光源との間に設置され、前記光源に対向する面を有し、前記光源に対向する面には、反射物質がコーティングされ、前記光源から照射される光の一部を反射させる反射領域と、前記光源から照射される光の他の一部を透過させる透過領域と、が形成されるレンズ部と；
を含むディスプレイ装置のバックライトユニット。
【請求項２】
前記光源は複数の光素子を含み；
前記複数の光素子は、前記拡散板と平行に長い帯状に配列され；
前記レンズ部は、前記複数の光素子の配列形態に沿って長い帯状に配置される、請求項１に記載のディスプレイ装置のバックライトユニット。
【請求項３】
前記複数の光素子は、前記拡散板の縦方向及び横方向のうち一つに配置される、請求項２に記載のディスプレイ装置のバックライトユニット。
【請求項４】
前記複数の光素子は、前記拡散板の縦方向に二つの平行な帯状に配列され；
前記レンズ部は、前記複数の光素子の配列形態に沿って二つの平行な帯状に配置される、請求項２に記載のディスプレイ装置のバックライトユニット。
【請求項５】
前記複数の光素子は、前記拡散板の縦方向に二つの平行な帯状にジグザグパターンで配列される、請求項２に記載のディスプレイ装置のバックライトユニット。
【請求項６】
前記透過領域は、前記光源に対向する前記レンズ部の面の長さ方向に中心軸に沿って形成され、前記反射領域は、前記透過領域の両側に形成される、請求項１に記載のディスプレイ装置のバックライトユニット。
【請求項７】
前記反射領域は、前記透過領域によって互いに分割された第１の反射領域及び第２の反射領域を含み、前記第１の反射領域と前記第２の反射領域は、互いに対称的に傾斜する、請求項６に記載のディスプレイ装置のバックライトユニット。
【請求項８】
前記光源に対向する前記レンズ部の面上の前記反射領域は一定の曲率を有する、請求項６に記載のディスプレイ装置のバックライトユニット。
【請求項９】
前記レンズ部は、前記拡散板に対向する面を有し、前記拡散板に対向する前記レンズ部の面は平面である、請求項１に記載のディスプレイ装置のバックライトユニット。
【請求項１０】
前記レンズ部は、前記拡散板に対向する面を有し、前記拡散板に対向する前記レンズ部の面の一部は凹状に形成される、請求項１に記載のディスプレイ装置のバックライトユニット。
【請求項１１】
前記レンズ部は、前記拡散板に対向する面を有し、前記拡散板に対向する前記レンズ部の面の一部は凸状に形成される、請求項１に記載のディスプレイ装置のバックライトユニット。
【請求項１２】
前記レンズ部は、前記拡散板に対向する面を有し、前記拡散板に対向する前記レンズ部の面の全体は凸状に形成される、請求項１に記載のディスプレイ装置のバックライトユニット。
【請求項１３】
前記レンズ部は、前記拡散板に対向する面を有し、前記拡散板に対向する前記レンズ部の面の全体は凹状に形成される、請求項１に記載のディスプレイ装置のバックライトユニット。
【請求項１４】
前記レンズ部は、前記拡散板に対向する面を有し、前記拡散板に対向する前記レンズ部の面上には、前記レンズ部の長さ方向に長く且つ凹状の溝が形成される、請求項１に記載のディスプレイ装置のバックライトユニット。
【請求項１５】
前記レンズ部は、前記拡散板に対向する面を有し、前記拡散板に対向する前記レンズ部の面上には、長く且つ凸状の突出部が形成される、請求項１に記載のディスプレイ装置のバックライトユニット。
【発明の詳細な説明】
【技術分野】
【０００１】
以下の説明は、ディスプレイパネルに光を照射するバックライトユニットを有するディスプレイ装置に関する。
【背景技術】
【０００２】
ディスプレイ装置でよく見られる液晶表示装置（Ｌｉｑｕｉｄ  Ｃｒｙｓｔａｌ  Ｄｉｓｐｌａｙ、ＬＣＤ）を用いたディスプレイパネルは直接発光しないので、ディスプレイパネルの後方にバックライトユニットが配置され、ディスプレイパネルとバックライトユニットとの間に拡散板または導光板が設置されることによって、バックライトユニットから照射される光は、拡散板を介して拡散され、ディスプレイパネル全体に均一に分散される。
【０００３】
ディスプレイ装置は、バックライトユニットの各位置に応じてダイレクトタイプ（Ｄｉｒｅｃｔ  Ｔｙｐｅ）とエッジタイプ（Ｅｄｇｅ  Ｔｙｐｅ）とに区分される。ダイレクトタイプのディスプレイ装置は、ディスプレイパネルの後側に多数の発光ダイオードが広い分布で配置され、ディスプレイパネルに直接光を照射する構造を有する。そして、エッジタイプのディスプレイ装置は、ディスプレイパネルのエッジに多数の発光ダイオードが配置され、多数の発光ダイオードから照射される光が導光板によって拡散されてディスプレイパネルに伝達される構造を有する。
【０００４】
前記のような既存のダイレクトタイプのディスプレイ装置は、ディスプレイパネルとバックライトユニットとの間の距離が非常に短い場合、各発光ダイオードから照射される光がディスプレイパネル上にホットスポットを形成することができる。ホットスポットの形成を防止するためには、ディスプレイパネルとバックライトユニットとの間の距離が十分に確保されなければならないが、このために、ディスプレイ装置の厚さが増加し、製品のスリム化に制約が伴う。エッジタイプのディスプレイ装置は、ダイレクトタイプに比べてディスプレイ装置のスリム化において有利であるが、ディスプレイパネルの周辺部の発光ダイオードから照射される光をディスプレイパネルの中央部に誘導するための導光板が追加的に要求されるので、価格競争力の側面で不利である。
【発明の概要】
【発明が解決しようとする課題】
【０００５】
以下の説明は、ディスプレイパネルに光を照射するためのバックライトユニットの光素子の数を減少させるために、バックライトユニットがディスプレイパネルの後面中央部に設置され、バックライトユニットの陰影によってディスプレイパネル上に形成された暗部を除去するためにバックライトユニットのレンズ部の構造が改善された、ディスプレイパネルを使用するディスプレイ装置に関する。
【０００６】
本発明の追加的な側面は、部分的には以下で説明され、部分的には前記説明から明らかになるか、または本発明の実行によって学習され得る。
【課題を解決するための手段】
【０００７】
本開示の一側面によると、ディスプレイ装置のバックライトユニットは、光を拡散させる拡散板の中央部から一定距離だけ離れた位置に設置され、拡散板に光を照射する光源と、拡散板と光源との間に設置され、光源に対向する面を有し、光源に対向する面には、反射物質がコーティングされ、光源から照射される光の一部を反射させる反射領域と、反射物質がコーティングされなく、光源から照射される光の他の一部を透過させる透過領域とが形成されるレンズ部とを含む。
【０００８】
また、前記光源は、複数の光素子を含み、前記複数の光素子は、拡散板と平行に長い帯状に配列され、前記レンズ部は、前記複数の光素子の配列形態に沿って長い帯状に配置される。
【０００９】
また、前記複数の光素子は、前記拡散板の縦方向及び横方向のうちいずれか一つに配置される。
【００１０】
また、前記複数の光素子は、前記拡散板の縦方向に二つの平行な帯状に配列され、前記レンズ部は、前記複数の光素子の配列形態に沿って二つの平行な帯状に配置される。
【００１１】
また、前記複数の光素子は、前記拡散板の縦方向に二つの平行な帯状に配列され、二つの平行な帯状の複数の光素子はジグザグパターンで配列される。
【００１２】
また、前記レンズ部は、前記光源に対向する面を有し、前記透過領域は、前記光源に対向する前記レンズ部の面の長さ方向に中心軸に沿って一定の幅と長さを有して形成され、前記反射領域は、前記透過領域の両側に形成される。
【００１３】
また、前記反射領域は、前記透過領域によって互いに分割された第１の反射領域及び第２の反射領域を含み、第１の反射領域と第２の反射領域は互いに対称的に傾斜し得る。
【００１４】
また、前記第１の反射領域と前記第２の反射領域は、前記拡散板の方向に傾斜し得る。
【００１５】
また、前記光源に対向する前記レンズ部の面上の前記反射領域は、一定の曲率を有する。
【００１６】
また、前記レンズ部は、前記拡散板に対向する面を有し、前記拡散板に対向する前記レンズ部の面は平面である。また、前記レンズ部は、前記拡散板に対向する面を有し、前記拡散板に対向する前記レンズ部の面の一部は凹状に形成される。
【００１７】
また、前記凹部の各位置は、前記光源の複数の光素子の各位置と一致する。
【００１８】
また、前記凹部のサイズは、前記光源の複数の光素子のサイズと一致する。また、前記凹部のサイズは、前記光源の複数の光素子のサイズより大きいか又は小さい。
【００１９】
また、前記レンズ部は、前記拡散板に対向する面を有し、前記拡散板に対向する前記レンズ部の面の一部は凸状に形成される。
【００２０】
また、前記凸部の各位置は、前記光源の複数の光素子の各位置と一致する。また、前記凸部のサイズは、前記光源の複数の光素子のサイズと一致する。また、前記凸部のサイズは、前記光源の複数の光素子のサイズより大きいか又は小さい。
【００２１】
また、前記レンズ部は、前記拡散板に対向する面を有し、前記拡散板に対向する前記レンズ部の面全体が凸状に形成される。
【００２２】
また、前記レンズ部は、前記拡散板に対向する面を有し、前記拡散板に対向する前記レンズ部の面全体が凹状に形成される。
【００２３】
また、前記レンズ部は、前記拡散板に対向する面を有し、前記拡散板に対向する前記レンズ部の面上には、長く且つ凹状の溝が前記レンズ部の長さ方向に形成される。
【００２４】
また、前記レンズ部は、前記拡散板に対向する面を有し、前記拡散板に対向する前記レンズ部の面上には、長く且つ凸状の突出部が形成される。
【００２５】
また、前記レンズ部は、複数の光素子を含み、前記レンズ部は、前記複数の光素子に対応して設けられる。
【００２６】
本開示の一側面によると、ディスプレイ装置は、映像を表示するためのディスプレイパネルと、ディスプレイパネルの後面側に設置され、光を拡散させる拡散板と、前記拡散板の後方側に設置され、前記拡散板に対向する面上に反射表面が形成されるボトムシャーシと、前記拡散板と前記ボトムシャーシとの間に前記拡散板の中央部から一定距離だけ離れて設置され、前記拡散板に光を照射する光源と、前記拡散板と前期光源との間に設置され、前記光源に対向する面を有し、前記光源に対向する面には、反射物質がコーティングされ、前記光源から照射される光の一部を反射させる反射領域と、反射物質がコーティングされなく、前記光源から照射される光の他の一部を透過させる透過領域とが形成されるレンズ部とを含む。
【００２７】
また、前記光源から照射される光の一部は、前記レンズ部の前記反射領域によって反射された後、前記ボトムシャーシの前記反射表面によって反射される。
【００２８】
また、前記光源は、複数の光素子を含み、前記複数の光素子は、前記拡散板の後面と平行に長い帯状に配列され、前記レンズ部は、前記複数の光素子の配列形態に沿って長い帯状に配置される。
【００２９】
また、前記レンズ部は、前記光源に対向する面を有し、前記透過領域は、前記光源に対向する前記レンズ部の面の長さ方向に中心軸に沿って一定の幅と長さを有して形成され、前記反射領域は、前記透過領域の両側に形成される。
【００３０】
また、前記レンズ部は、複数の光素子を含み、前記レンズ部は、前記複数の光素子に対応して設けられる。
【発明の効果】
【００３１】
本開示の一実施例に係るディスプレイパネルを使用するディスプレイ装置は、ディスプレイパネルに光を照射するためのバックライトユニットがディスプレイパネルの後面中央部に設置されることによって、導光板を用いることなく、少数の光素子のみを用いて拡散板の全体に光を照射することができる。さらに、前記ディスプレイ装置は、反射領域と透過領域を介したバックライトユニットの陰影の発生を除去することができる。
【図面の簡単な説明】
【００３２】
【図１】本開示の一実施例に係るディスプレイ装置の斜視図である。
【図２】本開示の一実施例に係るディスプレイ装置の分解斜視図である。
【図３】図２に示したディスプレイモジュールの分解斜視図である。
【図４】図２に示したディスプレイモジュールの断面図である。
【図５】本開示の実施例に係るディスプレイモジュールのバックライトユニットの分解斜視図である。
【図６】本開示の実施例に係るディスプレイモジュールのバックライトユニットの詳細な形状及び構成を示した図である。
【図７】本開示の実施例に係るバックライトユニットの光特性を示した図である。
【図８】本開示の多様な変形実施例に係るバックライトユニットのレンズ部を示した図である。
【図９】本開示の一実施例に係るバックライトユニットを示した図である。
【図１０】本開示の一実施例に係るバックライトユニットを示した図である。
【図１１】本開示の一実施例に係るバックライトユニットを示した図である。
【発明を実施するための形態】
【００３３】
ここでは、本開示の各実施例を詳細に説明するために参照が行われ、各例が添付の各図面に示されている。同一の参照番号は、全体にわたって同一の要素を示す。  
図１は、本開示の一実施例に係るディスプレイ装置の斜視図である。図１に示したように、ディスプレイ装置１００は、ディスプレイモジュール１０と、ディスプレイ装置１００の外観を形成しながらディスプレイモジュール１０を支持・保護するためのフロントケース２０Ｆ及びリアケース２０Ｒとを含む。
【００３４】
図２は、本開示の実施例に係るディスプレイ装置の分解斜視図である。図２に示したように、本開示の実施例に係るディスプレイ装置１００は、画像を表示するディスプレイモジュール１０と、ディスプレイモジュール１０の前後に設けられて互いに結合されるフロントケース２０Ｆ及びリアケース２０Ｒと、ディスプレイモジュール１０とリアケース２０Ｒとの間に配置され、ディスプレイモジュール１０に電力を供給し、制御信号を伝達するための制御基板３０とを含む。
【００３５】
図３は、図２に示したディスプレイモジュール１０の分解斜視図で、図４は、図２に示したディスプレイモジュール１０の断面図である。図３及び図４に示したように、本開示の実施例に係るディスプレイ装置１００のディスプレイモジュール１０は、液晶表示装置を含み、映像を表示するディスプレイパネル１１と、ディスプレイパネル１１の後方側にディスプレイパネル１１から離れて配置され、ディスプレイパネル１１に光を照射するバックライトユニット１２と、バックライトユニット１２から照射される光を拡散させるための拡散板１３と、ディスプレイパネル１１の後面に配置される複数の光学シート１４Ａ、１４Ｂとを含む。
【００３６】
また、ディスプレイモジュール１０は、ディスプレイパネル１１及び拡散板１３を支持するミドルモールド１５と、ミドルモールド１５の前方側に設置され、ディスプレイパネル１１がミドルモールド１５に固定された状態を維持させるトップシャーシ１６と、ミドルモールド１５の後方側に設置され、バックライトユニット１２が設置されるボトムシャーシ１７とを含む。光学シート１４Ａ、１４Ｂは、拡散板１３によって拡散された光をディスプレイパネル１１に対して垂直な方向に集光させるプリズムフィルム１４Ａと、プリズムフィルム１４Ａを保護するための保護フィルム１４Ｂとを含む。ミドルモールド１５の前方側にはディスプレイパネル１１が配置され、ミドルモールド１５の後方側には拡散板１３が配置され、ディスプレイパネル１１と拡散板１３がミドルモールド１５によって支持される。トップシャーシ１６は、ディスプレイパネル１１の前面外郭を覆うベゼル部１６ａと、ベゼル部１６ａの外郭から後方側に折り曲げられたトップ側面部１６ｂとを備える。ボトムシャーシ１７は、略長方形状に形成され、バックライトユニット１２が載せられる後面部１７ａと、後面部１７ａの外郭から前方側に延長されるボトム側面部１７ｂとを含む。
【００３７】
後面部１７ａとボトム側面部１７ｂの内側面（すなわち、拡散板１３と対向する面）には、バックライトユニット１２から照射される光を反射させて拡散板１３に向かって進行させる反射表面４０８が形成されるが、このためには、ボトムシャーシ１７の内側面に反射物質がコーティングされる。または、ボトムシャーシ１７とバックライトユニット１０２との間には、バックライトユニット１２から照射される光を拡散板１３に向かって反射させるための反射板が追加的に設置される。バックライトユニット１２は、光源４０２及びレンズ部４０４を含む。光源４０２は、光を照射するためのものであって、レンズ部４０４は、光源４０２から照射される光を拡散板１３の全体に均一に伝達するためのものである。このようなバックライトユニット１２の構造は、図５及び図６を参照して後で詳細に説明する。
【００３８】
図５は、本開示の実施例に係るディスプレイモジュールのバックライトユニットの分解斜視図で、図６は、本開示の実施例に係るディスプレイモジュールのバックライトユニットの詳細な形状及び構成を示した図である。
【００３９】
まず、図５に示したように、拡散板１３の後面から一定距離だけ離れた位置に光源４０２が設置され、拡散板１３と光源４０２との間にレンズ部４０４が設置される。光源４０２は、複数の光素子（例えば、複数の発光ダイオード）を含み、拡散板１３の後面から一定距離だけ離れた位置に、拡散板１３の中央部に対応して設置される。また、光源４０２は、拡散板１３の縦方向に延長された長い帯状に拡散板１３の垂直長さと同じ長さを有して配置される。レンズ部４０４も、光源４０２の配列形態に沿って光源４０２の長さと類似する長さを有して帯状に配置される。ここで、‘縦方向’とは、拡散板１３の横長さ及び縦長さのうち短い方の方向をいう。
【００４０】
ディスプレイパネル１１のレンズ部４０４は、拡散板１３に対向する面及び光源４０２に対向する面を有する。光源４０２に対向する前記レンズ部の面は、反射物質がコーティングされ、光を反射させる反射領域４０６と、反射物質がコーティングされなく、光を透過させる透過領域４１０とを含む。図５に示したように、反射物質がコーティングされていないレンズ部４０４の透過領域４１０は、光源４０２に対向するレンズ部４０４の面の長さ方向に中心軸に沿って一定の幅と長さを有して形成され、反射物質がコーティングされた反射領域４０６は、透過領域４１０の両側に形成される。反射領域４０６は、透過領域４１０によって分割される第１の反射領域４０６ａ及び第２の反射領域４０６ｂを含むことができる。反射領域４０６の第１の反射領域４０６ａと第２の反射領域４０６ｂは、拡散板１３の方向に互いに対称的に傾斜する。｛ふた｝
また、図６に示したように、バックライトユニット１２の光源４０２は、電気回路を構成する導電性パターンが形成され、ボトムシャーシ１７に配置される印刷回路基板１２ａと、拡散板１３に対向するように印刷回路基板１２ａに設置される発光ダイオード１２ｂと、発光ダイオード１２ｂを保護するための保護蓋１２ｃとを含む。一つの発光ダイオード１２ｂと一つの保護蓋１２ｃは一つの光素子を構成する。
【００４１】
図６に示したように、バックライトユニット１２のレンズ部４０４の断面は、光源４０２が位置した領域を下方と定義し、拡散板１３が位置した領域を上方と定義する場合、実質的に逆三角形状に形成される。レンズ部４０４の逆三角形状の断面において、斜辺（立体形状の斜面）に対応する部分に反射領域４０６が形成される。但し、反射領域４０６は、レンズ部４０４の斜辺全体に形成されなく、光源４０２に隣接したレンズ部４０４の中心部、すなわち、透過領域４１０に対応するレンズ部４０４の部分には形成されない。
【００４２】
光源４０２から照射される光の一部は、透過領域４１０を介してレンズ部４０４に入射され、レンズ部４０４の作用によって入射光の進行経路が拡散される。また、光源４０２から照射される光の残りは、反射領域４０６によって反射された後、図３及び図４を参照して説明したボトムシャーシ１７の内側表面４０８に形成される反射表面４０８によって再び反射されて拡散板１３に到達する。
【００４３】
光源４０２に対向するレンズ部４０４の面が反射領域４０６と透過領域４１０に区分される理由は、次の通りである。レンズ部４０４が反射領域４０６と透過領域４１０に区分されず、光源４０２に対向するレンズ部４０４の面全体が反射物質でコーティングされ、また、臨界角以上の角度で入射される光は全反射され、臨界角未満の角度で入射される光は透過される場合、レンズ部４０４のカッティング精度によって全反射される光の量と透過される光の量が決定されるので、レンズ部４０４の精密加工が要求され、製品の生産工程が複雑になり、生産費用が増加する。
【００４４】
しかし、本開示の実施例に係るレンズ部４０４のように、光源４０２に対向するレンズ部４０４の面上に、反射物質がコーティングされた反射領域４０６と反射物質がコーティングされていない透過領域４１０とが形成される場合、精密なレンズカッティング方法に比べて簡便に光の反射と透過が実現される。これは、生産工程の単純化及び工程時間の短縮をもたらし、その結果、製品生産費用が大きく節減される。
【００４５】
図５及び図６には、光源４０２に対向するレンズ部４０４の面が曲面状に形成される場合を示しているが、バックライトユニット１２と拡散板１３との間の距離と拡散板１３の広さなどの光伝達環境を考慮して所望の水準の光拡散特性を得るために、反射領域４０６は、球面、非球面又は平面に形成される場合もある。
【００４６】
図７は、本開示の実施例に係るバックライトユニットの光特性を示した図である。図７において、バックライトユニット１２の光特性を説明するために、図３ないし図６に示したものと同じ一部の構成要素の参照符号は省略される。図７に示したように、光源４０２から照射される光の一部は、反射領域４０６による反射とボトムシャーシ１７の内側表面４０８による反射によって多様な経路を介して拡散板１３に伝達される。また、光源４０２から照射される光の残りは、透過領域４１０を介してレンズ部４０４に入射された後、レンズ部４０４の作用によって多様な経路を介して拡散板１３に伝達される。
【００４７】
本開示の実施例に係るバックライトユニット１２において、レンズ部４０４の反射領域４０６と透過領域４１０は、次のような効果を示す。
【００４８】
まず、バックライトユニット１２が拡散板１３の中心部に位置する場合、バックライトユニット１２が拡散板１３のエッジに位置するときに比べて光拡散効率が向上し、光素子（例えば、発光ダイオード（ＬＥＤ））の数も減少する。ところが、透過領域４１０を用いず、光源４０２に対向するレンズ部４０４の面の全体が反射領域を形成すると仮定する場合、反射領域４０６は、光源４０２から照射される光を遮断し、拡散板１３の中央部に陰影を形成するので、この陰影によってディスプレイパネル１１の中央部に暗部が発生する。これは、均一な光分布を要求するディスプレイパネルの条件に反するものであるので望ましくない。
【００４９】
したがって、本開示の実施例に係るバックライトユニット１２のように、レンズ部４０４に透過領域４１０を設け、各反射領域４０６間の透過領域４１０を介して光を透過させることによって、反射領域４０６によって生成される陰影は、透過領域４１０を介して透過される光によって補償され、その結果、反射領域４０６の陰影によって生成された暗部が除去される。このようにバックライトユニット１２が拡散板１３の中央部に位置したときに発生する暗部が除去されるので、バックライトユニット１２が拡散板１３の後面側の中央部に位置するときの長所（光拡散効率の改善、光素子の数の減少）が十分に得られる。
【００５０】
図８は、本開示の多様な変形実施例に係るバックライトユニットのレンズ部を示した図である。図８に示したように、拡散板１３に対向するレンズ部４０４の面を多様に変形することによって、透過領域４１０を介してレンズ部４０４に入射される光がより広く拡散されるか、又は一部の領域でより集中される。このような光の拡散と集中は、ディスプレイパネル１１に均一に光を照射するためのものである。
【００５１】
図８の第１の変形実施例では、拡散板１３に対向するレンズ部４０４の面の一部分が凹状に形成され、光経路及び光拡散程度を変更させる。レンズ部４０４の凹部の各位置は、光源４０２の複数の光素子の各位置と一致する。また、レンズ部４０４の凹部のサイズは、光源４０２の複数の光素子のサイズと一致するか、又は、光源４０２の複数の光素子より大きいか又は小さい。レンズ部４０４の凹部の曲率は、所望の光拡散程度と所望の光経路によって決定される。
【００５２】
図８の第２の変形実施例では、拡散板１３に対向するレンズ部４０４の面の一部分が凸状に形成され、光経路及び光拡散程度を変更させる。レンズ部４０４の凸部の各位置は、光源４０２の複数の光素子の各位置と一致するか、又は、光源４０２の二つの隣接する各光素子の間に位置する。また、レンズ部４０４の凸部のサイズは、光源４０２の複数の光素子のサイズと一致するか、又は、光源４０２の複数の光素子のサイズより大きいか又は小さい。レンズ部４０４の凸部の曲率は、所望の光拡散程度と所望の光経路によって決定される。
【００５３】
図８の第３の変形実施例では、拡散板１３に対向するレンズ部４０４の面の全体が凸状に形成され、光経路及び光拡散位を変更させる。拡散板１３に対向するレンズ部４０４の凸部の曲率は、所望の光拡散程度と所望の光経路によって決定される。
【００５４】
図８の第４の変形実施例では、拡散板１３に対向するレンズ部４０４の面の全体が凹状に形成され、光経路及び光拡散位を変更させる。拡散板１３に対向するレンズ部４０４の凹部の曲率は、所望の光拡散程度と所望の光経路によって決定される
図８の第５の変形実施例では、拡散板１３に対向するレンズ部４０４の面上にレンズ部４０４の長さ方向に長く且つ凹状の溝が形成され、光経路及び光拡散程度を変更させる。このような長く且つ凹状の溝の位置は、光源４０２の複数の光素子の配列位置と一致する。また、長く且つ凹状の溝の幅と長さは、光源４０２のサイズ及び配列長さと一致する。凹状溝の内表面の曲率は、所望の光拡散程度と所望の光経路によって決定される。
【００５５】
図８の第６の変形実施例では、拡散板１３に対向するレンズ部４０４の面に長く且つ凸状の突出部が形成され、光経路及び光拡散程度を変更させる。このような長く且つ凸状の突出部の位置は、光源４０２の複数の光素子の配列位置と一致する。また、長く且つ凸状の突出部の幅と長さは、光源４０２のサイズ及び光源４０２の配列長さと一致する。凸状突出部の外表面の曲率は、所望の光拡散程度と所望の光経路によって決定される。
【００５６】
図９は、本開示の一実施例に係るバックライトユニットを示した図である。図９に示したように、拡散板１３の後面から一定距離だけ離れ、拡散板１３の中央部に対応する位置には、拡散板１３の縦方向に拡散板１３の縦長さと同じ長さを有して複数のバックライトユニット１０２が配置される。ここで、‘縦方向’とは、拡散板１３の横長さ及び縦長さのうち短い方の方向を称する。横長さと縦長さが同一であると、縦方向は横方向になり得る。
【００５７】
図１０は、本開示の一実施例に係るバックライトユニットを示した図である。図１０に示したように、拡散板１３の後面から一定距離だけ離れ、拡散板１３の中央部に対応する位置には、拡散板１３の横方向に拡散板１３の横長さと同じ長さを有して一つのバックライトユニット１２が配置される。ここで、‘横方向’とは、拡散板１３の横長さ及び縦長さのうち長い方の方向を称する。横長さと縦長さが同一であると、横方向は縦方向になり得る。
【００５８】
図１１は、本開示の一実施例に係るバックライトユニットを示した図である。図１１に示したように、バックライトユニット１２の光源４０２を構成する印刷回路基板１２ａ上には、発光ダイオード１２ｂ及び保護蓋１２ｃを含む複数の光素子１１０２が設置されるが、ここで、複数の光素子１１０２はジグザグパターンで配置される。図５に示したバックライトユニット１２で一列に配置された光素子１１０２と同じ数の光素子１１０２が図１１に示したようにジグザグパターンで配列される場合、バックライトユニット１２から照射される光は、拡散板１３の横方向（横長さ及び縦長さのうち長い方の方向）に拡散板１３上により遠い位置に到逹することができ、同じ数の光素子１１０２を用いる図１１のバックライトユニット１２は、光拡散の観点で図５のバックライトユニット１２より高い光伝達特性を得ることができる。
【００５９】
本開示の少数の実施例が図示及び説明されたが、当業者によって発明の原理及び精神から逸脱しない範囲でこれら実施例を変更可能であることが分かるだろう。本発明の範囲は、特許請求の範囲及びこれらの均等物で定義される。
【符号の説明】
【００６０】
１０      ディスプレイモジュール
１１      ディスプレイパネル
１２      バックライトユニット
１３      拡散板
１４      光学シート
１５      ミドルモールド
１６      トップシャーシ
１７      ボトムシャーシ
２０Ｆ    フロントケース
２０Ｒ    リアケース
３０      制御基板
１００    ディスプレイ装置
４０２    光源
４０４    レンズ部
４０６    反射領域
４１０    透過領域
４０８    反射表面（ボトムシャーシ）
１１０２  光素子
【図１】
2014187019.tif 000003
【図２】
2014187019.tif 000004
【図３】
2014187019.tif 000005
【図４】
2014187019.tif 000006
【図５】
2014187019.tif 000007
【図６】
2014187019.tif 000008
【図７】
2014187019.tif 000009
【図８】
2014187019.tif 000010
【図９】
2014187019.tif 000011
【図１０】
2014187019.tif 000012
【図１１】
2014187019.tif 000013